(57)【特許請求の範囲】
【請求項１】
地中に埋設される複数個のブロックを連結してボックス形に構成した水槽本体と、該水槽本体から地上方向に延びて設けた筒状の汲み出し口とを備えた防火水槽において、該防火水槽内に該水槽内面の全てを被覆する大きさの可撓性を有する水を汚染することのない軟質樹脂製のシートから形成した袋を挿入し、該袋が流体により膨らまされたことにより予め適宜箇所に接着剤を塗布した該水槽内面に該袋の外面が押し付けられ、それにより該袋を水槽内面に接着させて該内面の形状に適合した内張りを形成してなり、且つ該接着剤は接着された袋が汲み出し口から引張り力を加えたとき或いは袋の中を負圧にしたときに該水槽内面より剥離可能な程度の接着力としたことを特徴とする防火水槽。
【請求項２】
前記軟質樹脂を塩化ビニールとしたことを特徴とする請求項１に記載の防火水槽。
【請求項３】
前記軟質樹脂を繊維入りの軟質樹脂としたことを特徴とする請求項１に記載の防火水槽。
【請求項４】
前記軟質樹脂製のシートが高張力糸からなる基布に塩化ビニールを一体化したものであることを特徴とする請求項１に記載の防火水槽。
【請求項５】
前記流体を水とし、該水を入れることにより袋が膨らまされたことを特徴とする請求項１ないし４のいずれかに記載の防火水槽。
【請求項６】
前記流体を圧縮空気とし、該圧縮空気を入れることにより袋が膨らまされたことを特徴とする請求項１ないし４のいずれかに記載の防火水槽。
【発明の詳細な説明】
【０００１】
【産業上の利用分野】
本発明は、地下に埋設される防火用の水槽に関する。更に詳しく述べると、漏水防止用の内張りが設けられた防火水槽に関する。
【０００２】
【従来の技術】
防火水槽は、例えばコンクリートから成形され、地下に埋設されている。この場合、水槽に収容された水がコンクリートの壁を透過して地中に滲みだすことを防止しなければならない。そのため、従来、水槽のコンクリートの内面にエポキシ樹脂をコーティング処理して、漏水防止膜を形成している。
【０００３】
【発明が解決しようとする課題】
しかしながら、このエポキシ樹脂をコーティングした漏水防止膜によると、次のような問題があった。
【０００４】
地震などが起きた場合、漏水防止機能を損なうおそれがあった。すなわち、地震により、水槽のコンクリートに亀裂が入ったり、コンクリートブロックどうしの継ぎ目にズレが生じると、水槽内の水が漏れることが避けられなかった。
【０００５】
また、膜を形成するため樹脂をコーティングする作業が大変であった。すなわち、吹き付け機器によリコーティング作業をしなければならず、施工コストが高くついていた。さらに、コンクリートブロックを継ぎ合わせて水槽を構成するものでは、継ぎ目にシール構造を形成しなければならず、この点においても高コストとなってしまう。
【０００６】
また、地震などによりエポキシ樹脂の膜が一部剥離して漏水を招いた場合、水槽内の水をいったん抜き出した後、汲み出し口から人が水槽の中に入ってコーティング作業をし直さなければならず、これも高コストであった。
【０００７】
さらに、コンクリートブロックそのものや、エポキシ樹脂の中には、人に対して毒性の強い部分を含むものがあるので、飲用に供することができない。したがって、地震などの非常時に、防火水槽の水をそのまま飲用できないという問題があつた。
【０００８】
本発明の目的は、地震などが起きた場合であっても漏水防止機能を損うことのない防火水槽を提供することにある。
【０００９】
また、他の目的は、施工・交換コストが低廉な防火水槽を提供することにある。
【００１０】
さらに、他の目的は、水を飲用可能とした防火水槽を提供することにある。
【００１１】
【課題を解決するための手段】
この目的を達成するため、本発明の防火水槽は、次のように構成されている。
【００１２】
請求項１の防火水槽は、地中に埋設される複数個のブロックを連結してボックス形に構成した水槽本体と、該水槽本体から地上方向に延びて設けた筒状の汲み出し口とを備えた防火水槽において、該防火水槽内に該水槽内面の全てを被覆する大きさの可撓性を有する水を汚染することのない軟質樹脂製のシートから形成した袋を挿入し、該袋が流体により膨らまされたことにより予め適宜箇所に接着剤を塗布した該水槽内面に該袋の外面が押し付けられ、それにより該袋を水槽内面に接着されて該内面の形状に適合した内張りを形成してなり、且つ該接着剤は接着された袋が汲み出し口から引張り力を加えたとき或いは袋の中を負圧にしたときに該水槽内面より剥離可能な程度の接着力とした防火水槽を特徴とする。
【００１３】
請求項２の防火水槽は、前記軟質樹脂を塩化ビニールとしたことを特徴とする。
【００１４】
請求項３の防火水槽は、前記軟質樹脂を繊維入りの軟質樹脂としたことを特徴とする。
【００１５】
請求項４の防火水槽は、前記軟質樹脂製のシートが高張力糸からなる基布に塩化ビニールを一体化したものであることを特徴とする。
【００１６】
請求項５の防火水槽は、前記流体を水とし、該水を入れることにより袋が膨らまされたことを特徴とする。
【００１７】
請求項６の防火水槽は、前記流体を圧縮空気とし、該圧縮空気を入れることにより袋が膨らまされたことを特徴とする。
【００１８】
【作用】
したがって、本発明の防火水槽によると、次のように作用する。
【００１９】
本発明の防火水槽によると、内面に軟質樹脂製のシートからなる内張りが施されているので、地震などにより水槽に損傷を生じても、漏水を防止する。
【００２０】
また、本発明の防火水槽によると、軟質樹脂製の袋を水槽の内部に入れて水又は圧縮空気により膨らませて内張り施工する。
【００２１】
さらに、本発明の防火水槽によると、袋の中に水を入れて膨らませて、袋を水槽の内面に適合させる。袋の中の水は、そのまま防火用水となる。
【００２２】
また、本発明の防火水槽によると、袋の中に圧縮空気を入れて膨らませ、袋を水槽の内面に適合させ、次いで防火用水を袋の中に注入する。
【００２３】
さらに、本発明の防火水槽によると、袋を交換のために水槽から外に引張り出すときに、袋が水槽内面から剥離する。
【００２４】
また、本発明の防火水槽によると、袋の交換時に、袋の中の空気を引き抜いて負圧にすると、袋が縮んで水槽内面から剥離する。
【００２５】
さらに、本発明の防火水槽によると、シートが塩化ビニールから成るので、水槽内の水を汚染することがない。
【００２６】
また、本発明の防火水槽によると、シートが繊維入りの軟質樹脂から成るので、内張りの強度が向上する。
【００２７】
さらに、本発明の防火水槽によると、シートが高張力糸から成る基布に塩化ビニールを一体化して成るので、内張りの強度が向上し、それと共に水を汚染することもない。
【００２８】
また、本発明の防火水槽によると、内張りが軟質樹脂製の袋から成るので、地震などが起きたときにブロックがズレて間隙が生じても、袋がそのズレに追従して変形被覆し続ける。したがって、漏水防止機能に支障がない。
【００２９】
【実施例】
以下、本発明の実施例を図を参照して説明する。
【００３０】
図１に本発明の防火水槽（以下、単に水槽と称することもある）の一実施例が示されている。この例の防火水槽は、地中に埋設され複数個のコンクリートブロック１Ａ〜１Ｈから成リ、内面に軟質樹脂製のシートから成る漏水防止用の内張り２が施されている。
【００３１】
ここで、コンクリートブロック１Ａ〜１Ｈからなる構造体は、水槽本体３と、この水槽本体３から地上に延びて設けられた汲み出し口４とから構成されている。
【００３２】
この例の水槽本体３は、６個のブロック１Ａ〜１Ｆからボックス形に構成されている。また、汲み出し口4は、水槽本体3の上面に連通して設けられ、筒状に延びて形成されている。ブロック1Hは蓋である。汲み出し口4は、マンホールとなっている。つまり、人が中に入ることのできる径に設けられ、水槽本体3の中に人が入って作業ができるようになっている。
【００３３】
この例の内張りは、次のように水槽の内部で袋２（内張り２と袋２とは同一部材である）を膨らませて水槽の内面に装着される。予め水槽の内面の適宜箇所に接着剤を塗布しておいてから、軟質樹脂製のシートから形成された１つの袋２を水槽の内部に入れ、この袋２Ａの口を汲み出し口４の所に位置させる。次いで、この袋２Ａの口からコンプレッサ又はエアボンベ（図示省略）からの圧縮空気を注入して膨らませ、膨らんだ袋２の外面を水槽の内面に押し付け、袋２と水槽の内面とを接着させる。これにより、水槽の内面の形状に適合した内張り２が形成される。
【００３４】
このとき、袋２と水槽の間の接着強度を袋２を汲み出し口４から引っ張り出すときに剥離可能な程度とすると、内張り２つまり袋の交換を容易に行うことができる。
【００３５】
また、袋２を構成する軟質樹脂を用いる理由は、その可撓性により、水槽に亀裂が生じたり、ブロック相互にズレが生じた場合にも柔軟に変形、対応することができ、漏水防止性を低下させないようにするためである。
【００３６】
樹脂として、塩化ビニールを用いれば、毒性がないので、水槽本体３内の水を汚染することがない。したがって、地震時など非常時に、水槽内の水をそのまま、あるいは低精度の浄水機器により充分に飲用に供することができるようになる。
【００３７】
さらに、シートの材料として、繊維入りの軟質樹脂を用いれば、強度が向上する。特に、シートの材料として、例えばテトロン（東レ杜の登録商標）のような高張力糸からなる基布と、その基布と一体化した塩化ビニールから成るものを使用した場合には、強度と衛生の両方の点で優れたものとなる。
【００３８】
以上のように構成された防火水槽によると、次のように地震時などに優れた漏水防止性を発揮する。
【００３９】
大きな地震が起きると、水槽のコンクリートに亀裂が生じたり、ブロックどうしの継ぎ目がズレて隙間が生じることがある。ところが、水槽の内面に可撓性ある軟質樹脂からなる内張り２が設けられているので、亀裂やズレに対して柔軟に変形対応することができ、漏水防止性の低下をもたらさない。すなわち、漏水したり、泥が水槽内に侵入することがないので、防火に支障を生じたり、飲用ができなくなるということを防止できる。
【００４０】
特に、この例では、内張り２が一枚の袋から成るので、複数枚のシートを貼る場合に比べて、内張り２に継ぎ目がなく、漏水防止性がいっそう顕著である。
【００４１】
内張り２つまり袋が塩化ビニールにより成る場合には、非常時に、低精度の浄水機器（図示省略）を用いるだけで、飲用に供することができる。
【００４２】
なお、本発明は、上述の実施例に限定されるものではなく、種々の変形例が実施可能である。
【００４３】
例えば、上述の実施例では１つの袋２を膨らませて内張りとしているが、複数枚のシートを水槽内面に貼って内張りとしてもよい。
【００４４】
また、上述の実施例では、袋２を圧縮空気で膨らましてから、水を注入していたが、最初から水を注入して膨らませてもよい。
【００４５】
また、上述の実施例では、水槽がコンクリート製であったが、素材はこれに限らず、樹脂その他の材料からなるものにも本発明を適用できる。
【００４６】
【発明の効果】
以上説明した本発明の防火水槽によると、次のような効果を奏する。
【００４７】
（１）本発明の防火水槽によると、内面に軟質樹脂製のシートからなる内張りが施されているので、地震などにより水槽に損傷を生じても、損傷の露出を防止する。すなわち、地震などでも漏水防止機能に支障をきたすことがない。
【００４８】
（２）本発明の防火水槽によると、軟質樹脂製の袋を水槽の内部に入れて水又は圧縮空気により膨らませて内張り施工する。すなわち、内張りが１つの袋から成るので、複数枚のシートにより内張りする場合に比べて、漏水防止機能がいっそう向上する。また、従来における樹脂をコーティング処理する場合に比べて、施工作業が簡単にでき、施エコストを低減できる。
【００４９】
（３）本発明の防火水槽によると、袋の中に水を入れて膨らませ、袋を水槽の内面に適合させて内張り施工する。袋の中の水は、そのまま防火用水となる。したがって、内張施工作業が簡単にでき、施エコストを低減できる。
【００５０】
（４）本発明の防火水槽によると、袋の中に圧縮空気を入れて膨らませ、袋を水槽の内面に適合させ、次いで防火用水を袋の中に注入して内張り施工する。したがって、内張施工作業が簡単にでき、施エコストを低減できる。
【００５１】
（５）本発明の防火水槽によると、袋と水槽の内面とが接着剤により接着して内張りが設けられているので、内張りの剥がれがなくなり、強度を向上できる。したがって、水位が低くなっても内張りが崩れることがない。
【００５２】
（６）本発明の防火水槽によると、袋を水槽から外に引っ張れば、袋が水槽内面から容易に剥離する。したがって、袋の交換作業を簡単にできる。
【００５３】
（７）本発明の防火水槽によると、袋の中の空気を引き抜いて負圧にすると、袋が縮んで水槽内面から剥離する。したがって、袋の交換作業を簡単にできる。
【００５４】
（８）本発明の防火水槽によると、シートが塩化ビニールから成るので、水槽内の水を汚染することがない。したがって、非常時に水槽内の水を飲用に供することができる。
【００５５】
（９）本発明の防火水槽によると、シートが繊維入りの軟質樹脂から成るので、内張りの強度を向上できる。
【００５６】
（１０）本発明の防火水槽によると、シートが高張力糸から成る基布に塩化ビニールを一体化して成るので、内張りの強度をいっそう向上できる。
【００５７】
（１１）本発明の防火水槽によると、内張りが軟質樹脂製の袋から成るので、地震などが起きたときにブロックがズレて間隙が生じても、そのズレに追従、変形して被覆し続ける。したがって、地震などのときに漏水防止機能に支障がない。
【図面の簡単な説明】
【図１】本発明の防火水槽の一実施例の縦断面図である。
【図２】図１の防火水槽の平面図である。
【図３】図１および図２の防火水槽のＡ−Ａ線の矢視方向を示す断面図である。
【符号の説明】
１Ａ〜１Ｈコンクリートブロック
２内張り
３水槽本体
４汲み出し口
【図１】
0003702434.tif 000002
【図２】
0003702434.tif 000003
【図３】
0003702434.tif 000004